(57)【要約】  【課題】水滴の出す音が大きい水琴窟を提供すること。また、大きい水滴音をリズミカルに出すことのできる水琴窟を提供することを目的とする。また、加えて、器内の水の量を簡単に確認できる水琴窟を提供することを目的とする。また、更に加えて、器内の水を簡単に排水できて大掛かりな排水設備も必要としない水琴窟を提供することを目的とする。【解決手段】  器１０と、この器１０の上部に設けられた蓋部２０とを備え、この蓋部２０の所定部位に水滴穴３１を貫通穿設し、当該蓋部２０の水滴穴３１内には拡大水滴生成部４１が設けられた構成とする。水滴穴３１を拡大水滴生成部４１とともに複数個設ける。器１０の下部に水位読み取り管５１を設ける。水位読み取り管５１の他端部を開口し、当該管５１の他端部寄りに開閉バルブ５５を設ける。【選択図】      図１
2006119480.tif 000002
【特許請求の範囲】
【請求項１】
水を収容可能な器と、この器の上部に設けられた蓋部とを備え、
この蓋部の所定部位に水滴穴を貫通穿設し、当該蓋部の水滴穴内に、流入する水と接し上下方向に長く伸延する壁部を有し当該水滴穴内に流入した水が表面張力よりも重力のほうが大きくなるまで留め置く拡大水滴生成部を所定個数設けたことを特徴とする水琴窟。
【請求項２】
前記水滴穴を前記拡大水滴生成部とともに複数個設けたことを特徴とする請求項１記載の水琴窟。
【請求項３】
前記器の下部に一端部が開口接続され中の水の水位が外部から目視可能な水位読み取り管を設けたことを特徴とする請求項１又は２記載の水琴窟。
【請求項４】
前記水位読み取り管の一端部以外の箇所を開口し、当該管の一端部と開口箇所の間の部位に排水用開閉バルブを設けたことを特徴とする請求項１，２又は３記載の水琴窟。
【発明の詳細な説明】
【技術分野】
【０００１】
本発明は、水琴窟に関する。
【背景技術】
【０００２】
水琴窟は、器（水鉢等）の中の水に水滴を落下させて音を発生させ、その音を楽しむものである。
【０００３】
しかし、一般に音量が小さく音が聞き取りにくいことから、安定して大きな音の出る水琴窟が提案されている（例えば、特許文献１参照）。
【０００４】
この特許文献１に開示された水琴窟は、中空筐体の内部に揺動アームを水平な揺動支軸回りに揺動可能に支持すると共に、該揺動アームの一端部に水受容器を固設して、前記導水孔から流入せしめられる水を該水受容器に供給せしめて、該水受容器内の貯留水の重量によって該揺動アームを揺動作動せしめるようにする一方、該揺動アームの何れか一方の端部に対して、ばね材を介して打鈴重りを取り付けると共に、該打鈴重りの近くに発音体を配設せしめて、該打鈴重りが該発音体に当接するより僅かに手前位置で、前記揺動アームの揺動端位置を規定するストッパ機構を設けることにより、該揺動アームの揺動作動に伴って、該打鈴重りが、前記ばね材の弾性変形に基づいて、該発音体に対して瞬間的に打ち当てられるようにした構成とされている 。
【特許文献１】特開２００１−３３１１８６号公報
【発明の開示】
【発明が解決しようとする課題】
【０００５】
しかし、上記した従来の水琴窟は水滴の出す音を楽しむという、本来の水琴窟の目的を達成しているとはいい難い。また、器には水が溜まるが、この水の量は水滴の出す音にも影響を与えるが、排水設備が大掛かりなものとなるおそれがある。
【０００６】
本発明の目的は、水滴の出す音が大きい水琴窟を提供することにある。また、大きい水滴音をリズミカルに出すことのできる水琴窟を提供することを目的とする。また、加えて、器内の水の量を簡単に確認できる水琴窟を提供することを目的とする。また、更に加えて、器内の水を簡単に排水できて大掛かりな排水設備も必要としない水琴窟を提供することを目的とする。
【課題を解決するための手段】
【０００７】
上記目的を達成するために、請求項１の発明は、水を収容可能な器と、この器の上部に設けられた蓋部とを備え、この蓋部の所定部位に水滴穴を貫通穿設し、当該蓋部の水滴穴内に、流入する水と接し上下方向に長く伸延する壁部を有し当該水滴穴内に流入した水が表面張力よりも重力のほうが大きくなるまで留め置く拡大水滴生成部を所定個数設けたことを特徴とする。
【０００８】
上記請求項１の発明の場合、蓋部を介して水滴穴に流入した水は、拡大水滴生成部によって、その自重が表面張力よりも大きくなるまで、当該拡大水滴生成部に留め置かれる。そのため、拡大水滴生成部（すなわち、水滴穴）から下の器内に溜まった水へ向けて落下する場合には、大きな水滴となる。そのため、水滴が出す音は大きい。
【０００９】
また、請求項２の発明は、前記水滴穴を前記拡大水滴生成部とともに複数個設けたことを特徴とする。
【００１０】
上記請求項２の発明の場合、請求項１の発明と同じ効果を奏する他、大きな水滴の音がより短い間隔で発生させることができるなど、水滴が大きい音と相まってリズミカルな水滴音も出せる。
【００１１】
また、請求項３の発明は、前記器の下部に一端部が開口接続され中の水の水位が外部から目視可能な水位読み取り管を設けたことを特徴とする。
【００１２】
上記請求項３の発明の場合、請求項１又は２の発明と同じ効果を奏する他、器の中の水量の水位と当該器内の空き空間との割合が、最良の水滴の音色を出せるか、外部から確認できる。このことは、地上に置かれるタイプの水琴窟では役に立ち必要である。
【００１３】
また、請求項４の発明は、前記水位読み取り管の一端部以外の箇所を開口し、当該管の一端部と開口箇所の間の部位に排水用開閉バルブを設けたことを特徴とする。
【００１４】
上記請求項４の発明の場合、請求項１，２の発明と同じ効果を奏する他、器の中の水量が外部から目視でき、大掛かりな排水設備も使用しないで、器内の水を当該器を動かさずに離れた場所に簡単に排水できる。また、排水等して水位を最適な高さに簡単に調節できる。このことは、地上に置かれるタイプの水琴窟では役に立ち必要である。
【発明の効果】
【００１５】
請求項１の発明によれば、蓋部の水滴穴内に、
全体が閉鎖環状で互いに横方向に接近した内壁部を有し当該水滴穴内に流入した水が表面張力よりも重力のほうが大きくなるまで留め置く拡大水滴生成部を設けたので、当該拡大水滴生成部（すなわち、水滴穴）から下の器内に溜まった水へ大きな水滴が落下する。そのため、水滴の出す音が大きい。
【００１６】
また、請求項２の発明は、前記水滴穴を前記拡大水滴生成部とともに複数個設けたことを特徴とする。
【００１７】
上記請求項２の発明の場合、大きな水滴の音がより短い間隔で発生させることができ、リズミカルな大きな水滴音も出せる。
【００１８】
また、請求項３の発明は、加えて、器の下部に一端部が開口接続され中の水の水位が外部から目視可能な水位読み取り管を設けたので、請求項１又は２の発明と同じ効果を奏する他、器の中の水量が外部から目視できる。このことは、地上に置かれるタイプの水琴窟では役に立ち必要である。
【００１９】
また、請求項４の発明は、加えて、前記水位読み取り管の一端部以外の箇所を開口し、当該管の一端部と開口箇所の間の部位に排水用開閉バルブを設けたので、請求項１，２の発明と同じ効果を奏する他、器の中の水量が外部から目視でき、大掛かりな排水設備も使用しないで、器内の水を当該器を動かさずに離れた場所に簡単に排水できる。また、排水等して水位を最適な高さに簡単に調節できる。このことは、地上に置かれるタイプの水琴窟では役に立ち必要である。
【発明を実施するための最良の形態】
【００２０】
以下、本発明の実施の形態を図面を参照しながら説明する。
【００２１】
本発明に係る水琴窟は、図１および図４に示すように、器１０と、この器１０の上部に設けられた蓋部２０とを備え、この蓋部２０の所定部位に水滴穴３１が貫通穿設されており、当該蓋部２０の水滴穴３１内には拡大水滴生成部４１が所定個数（本実施形態では、１個）設けられた構成とされている。
【００２２】
この実施形態では、蓋部２０に、水滴穴３１が拡大水滴生成部４１とともに複数個（ここでは、２個）設けられている。
【００２３】
また、上記した器１０は、水を収容可能である。この実施形態では、器１０は、音の共鳴が良くなるように、焼き物または陶磁器製とされている。この器１０は、有底で上部が開口されている。器１０の水の溜まる底部分には、水が腐らないように炭１５が載置されている。
【００２４】
蓋部２０は、器１０と別体とされており、器１０の上部に設けられている。この実施形態では、蓋部２０は、器１０と別体とされており、当該器１０の上部の開口を塞ぐものである。なお、蓋部２０は、器１０と一体に形成されていてもよい。また、蓋部２０には、後に詳述するように、筧６６等を介して水が供給される。
【００２５】
この蓋部２０の略中央部には、２つの水滴穴３１が貫通穿設されている。この実施形態では、両水滴穴３１の上部開口は、多孔質材料（たとえば、スポンジ）製のカバー蓋部２５によって覆われている。このカバー蓋部２５は、水滴穴３１にゴミが入らないようにする役目と、蓋部２０が少々傾いても各水滴穴３１に水を平均に入るようにする役目も果たす。蓋部２０の各水滴穴３１には、それぞれ拡大水滴生成部４１が設けられている。ここで、拡大水滴生成部４１は、蓋部２０を介して流入した水を、大きな水滴として器１０内の水へ向けて落下させる役目を果たす。
【００２６】
拡大水滴生成部４１は、図２（Ａ），（Ｂ）にしめすように、蓋部２０の水滴穴３１内に設けられており、流入する水を接しかつ上下方向に長く伸延する壁部（４２，４２）を有し当該水滴穴３１内に流入した水が表面張力よりも重力のほうが大きくなるまで留め置く構成とされている。この実施形態では、拡大水滴生成部４１は、その全体が閉鎖環状で互いに横方向（図２（Ａ）では紙面と平行方向）に接近した内壁部（４２，４２）を有しており、当該水滴穴３１内に流入した水が表面張力よりも重力のほうが大きくなるまで留め置く構成とされている。また、拡大水滴生成部４１は、金属板を折り曲げ加工等して形成されている。なお、拡大水滴生成部４１をプラスチック製としてもよい。
【００２７】
本水琴窟では、水位読み取り管５１が設けられている。この水位読み取り管５１は、その一端部５２が開口接続されており、その一部５３が立上げられている。この水位読み取り管５１の立ち上げ部分５３は、水位読み取りが可能な部分であり、長さが異なる継ぎ足し管５４を付け替えることにより当該水位読み取り部分（５３）を長さが変更可能である、また、水位読み取り管５１を柔軟性な透明樹脂製とし、その中間部分を器１０の外壁に取り付けられたフック５６に引っ掛けることにより、立ち上げ部分５３を形成してもよい。図４で示す柔軟性な透明樹脂製の水位読み取り管５１は、その一端部５２以外の箇所（ここでは、他端部５７）が開口されており、当該一端部５２と開口箇所（他端部５７）との間の部分には排水用開閉バルブ５５が設けられている。なお、水位読み取り部分が付け替えタイプの水位読み取り管５１もその他端部５７が開口されている。
【００２８】
上記構成の本水琴窟では、蓋部２０を介して水滴穴３１に流入した水は、拡大水滴生成部４１によって、その自重が表面張力よりも大きくなるまで、当該拡大水滴生成部４１に留め置かれる。そのため、拡大水滴生成部４１（すなわち、水滴穴３１）から下の器１０内に溜まった水へ向けて落下する場合には、図３に示すように、大きな水滴（Ｑ１）となる。そのため、水滴が出す音は大きい。
【００２９】
また、水滴穴３１（拡大水滴生成部４１）を複数個(本実施形態では２個)設けたので、大きな水滴の音がより短い間隔で発生させることができるなど、水滴音が大きいことと相まってリズミカルな水滴音も出せる。
【００３０】
また、器１０の下部に一端部５２が開口接続され中の水の水位が外部から目視可能な水位読み取り管５１が設けられているので、器１０の中の水量が外部から目視できる。これによって、器１０の中の水量の水位と当該器１０内の空き空間との割合が、最良の水滴の音色を出せるか、外部から確認できる。このことは、地上に置かれるタイプの水琴窟では役に立ち必要である。
【００３１】
また、水位読み取り管５１の一端部５２以外の箇所（他端部５７）を開口し、当該管５１の一端部５２と他端部５７との間に排水用開閉バルブ５５を設けたので、大掛かりな排水設備も使用しないで、器１０内の水を当該器１０を動かさずに離れた場所に簡単に排水できる。また、排水等して水位を最適な高さに簡単に調節できる。このことは、地上に置かれるタイプの水琴窟では役に立ち必要である。
【００３２】
なお、この実施形態では、蓋部２０の水滴穴３１内には拡大水滴生成部４１を１個設けた構成としたが、設置個数は複数でもよい。また、拡大水滴生成部４１の形状は、上下方向に伸延する壁部を有すれば、図８〜図１８に示すものであってもよい。図８の拡大水滴生成部４１は、１個で管状とされている。図９の拡大水滴生成部４１は、２個で円管状とされ中心が一致するように二重管状に配設されている。図１０の拡大水滴生成部４１は、４個でそれぞれが円管状とされ互いに接近して配設されている。図１１の拡大水滴生成部４１は、１個で板状とされている。図１２の拡大水滴生成部４１は、３個でそれぞれ板状で３列に配設されている。図１３の拡大水滴生成部４１は、１個で横断面が井桁状のものとされている。図１４の拡大水滴生成部４１は、１個で横断面がＸ字状とされている。図１５の拡大水滴生成部４１は、１個で横断面が正方形環状とされている。図１６の拡大水滴生成部４１は、４個でそれぞれ横断面が正方形環状のものを田の字状に配設されている。図１７の拡大水滴生成部４１は、２個で横断面が半円状とされたものを横方向に隙間を開けて配設されている。図１８の拡大水滴生成部４１は、３個でそれぞれ横断面が三角環状のものを三つ鱗状に配設されている。
【００３３】
また、図７に示すように、器１０内に溜まった水を循環使用してもよい。すなわち、器１０の外壁の下部にポケット部６１を形成し、当該ポケット部６１に当たる器１０の壁部分に穴を貫通穿設し、当該ポケット部６１に器１０内の水の一部を引き込むようにする。このポケット部６１内の水をポンプ６３と管（チューブ）６４を介して筧６６に供給する。ポンプ６３は、保護のために多孔質（例えば、スポンジ）製のカバー６９で包まれている。また、管（チューブ）６４は、その中間部分の大部分は内フック６４を介して器１０の内壁に沿っている。内フック６４は、器１０の内壁に固定されている。そして、筧６６の水出口６７から水が蓋部２０に供給される。筧６６は、図７では器１０の外壁にも取り付けられているが、図１に示すように蓋分２０に設けてもよい。また、筧６６に、同図にしめすように、水出口６７を複数個（この実施形態では２個）設けてもよい。
【００３４】
また、筧６６に、図示しないポンプ等を介して水を供給してもよい。
【００３５】
また、筧６６の水出口６７から蓋部２０に水を直接供給するのではなく、図１に示すように、ししおどし７１を介して間接的に供給しても良い。ししおどし７１は、首振りパイプ７２の支持が矢印（Ｅ，Ｆ）方向および矢印（Ｇ，Ｈ）方向に変更可能であり、錘７３も首振りパイプに対して矢印（Ｅ，Ｆ）方向に位置を変更可能である。なお、図６中、７５は、首振りパイプ７２内の空気を放出するための空気抜きパイプである。このように、ししおどし７１を設けることにより、一段と趣が深まる。
【図面の簡単な説明】
【００３６】
【図１】本発明に係る水琴窟の蓋部と当該蓋部に設けられた各構成部品を示す図である。
【図２】本水琴窟の拡大水滴生成部を説明するための図である。
【図３】拡大水滴生成部の機能を説明するための図である。
【図４】本水琴窟の全体構成を示す図である。
【図５】水滴穴を覆うカバーを示す図である。
【図６】ししおどしを説明するための図である。
【図７】本水琴窟の変形例を説明するための図である。
【図８】拡大水滴生成部の変形例を示す図である。
【図９】拡大水滴生成部の変形例を示す図である。
【図１０】拡大水滴生成部の変形例を示す図である。
【図１１】拡大水滴生成部の変形例を示す図である。
【図１２】拡大水滴生成部の変形例を示す図である。
【図１３】拡大水滴生成部の変形例を示す図である。
【図１４】拡大水滴生成部の変形例を示す図である。
【図１５】拡大水滴生成部の変形例を示す図である。
【図１６】拡大水滴生成部の変形例を示す図である。
【図１７】拡大水滴生成部の変形例を示す図である。
【図１８】拡大水滴生成部の変形例を示す図である。
【符号の説明】
【００３７】
１０  器
２０  蓋部
３１  水滴穴
４１  拡大水滴生成部
５１  水位読み取り管
７１  ししおどし
【図１】
2006119480.tif 000003
【図２】
2006119480.tif 000004
【図３】
2006119480.tif 000005
【図４】
2006119480.tif 000006
【図５】
2006119480.tif 000007
【図６】
2006119480.tif 000008
【図７】
2006119480.tif 000009
【図８】
2006119480.tif 000010
【図９】
2006119480.tif 000011
【図１０】
2006119480.tif 000012
【図１１】
2006119480.tif 000013
【図１２】
2006119480.tif 000014
【図１３】
2006119480.tif 000015
【図１４】
2006119480.tif 000016
【図１５】
2006119480.tif 000017
【図１６】
2006119480.tif 000018
【図１７】
2006119480.tif 000019
【図１８】
2006119480.tif 000020